(57)【要約】【課題】同心円形状から著しく乱れた形状のプラチドリング像が得られるような場合においても、当該プラチドリング像に基づいて角膜形状の測定を正確に行えるようにする。【解決手段】同心円状に配列された複数のリング状光源2a〜2fからなるプラチドリング像撮影用光源1と、プラチドリング像撮影用光源から被検眼3に光が照射されたときに、被検眼の角膜上における当該光の投影像を撮影するビデオカメラ9と、Ａ／Ｄ変換部10と、Ａ／Ｄ変換部から出力されたデジタル画像データを格納するメモリ部12と、プラチドリング像撮影用光源のリング状光源を１本または複数本ずつ点灯させ、その都度被検眼の角膜上における当該リング状光源からの光の投影像をビデオカメラに撮影させ、Ａ／Ｄ変換部から出力されたそのデジタル画像データを、当該リング状光源の同心円パターン中の位置情報とともにメモリ部に格納するコントロール部11を備える。【選択図】図１
2006158749.tif 000002
【特許請求の範囲】
【請求項１】
同心円状に配列された複数のリング状光源からなり、被検眼に対向して配置されたプラチドリング像撮影用光源と、
前記プラチドリング像撮影用光源の同心円パターンの中心部において前記被検眼に対向して配置され、前記プラチドリング像撮影用光源から前記被検眼の角膜に光が照射されたときに、前記被検眼の角膜上における当該光の投影像を撮影するビデオカメラと、
前記ビデオカメラから出力された映像信号を変換してデジタル画像データを出力するＡ／Ｄ変換部と、
前記Ａ／Ｄ変換部から出力されたデジタル画像データを格納するメモリ部と、
前記プラチドリング像撮影用光源および前記ビデオカメラの動作を、前記Ａ／Ｄ変換部の動作タイミングに同期させて制御し、前記プラチドリング像撮影用光源のリング状光源を１本または複数本ずつ点灯させ、その都度、前記被検眼の角膜上における当該リング状光源からの光の投影像を前記ビデオカメラに撮影させて、前記Ａ／Ｄ変換部から出力されたそのデジタル画像データを、当該リング状光源の前記同心円パターン中の位置情報とともに前記メモリ部に格納するコントロール部と、を備えていることを特徴とするプラチドリング像撮影装置。
【請求項２】
同心円状に配列された複数のリング状光源からなり、被検眼に対向して配置されたプラチドリング像撮影用光源と、
前記プラチドリング像撮影用光源の同心円パターンの中心部において前記被検眼に対向して配置され、前記プラチドリング像撮影用光源から前記被検眼の角膜に光が照射されたときに、前記被検眼の角膜上における当該光の投影像を撮影するデジタルカメラと、
前記デジタルカメラから出力されたデジタル画像データを格納するメモリ部と、
前記プラチドリング像撮影用光源および前記デジタルカメラの動作を制御し、前記プラチドリング像撮影用光源のリング状光源を１本または複数本ずつ点灯させ、その都度、前記被検眼の角膜上における当該リング状光源からの光の投影像を前記デジタルカメラに撮影させて、前記デジタルカメラから出力されたそのデジタル画像データを、当該リング状光源の前記同心円パターン中の位置情報とともに前記メモリ部に格納するコントロール部と、を備えていることを特徴とするプラチドリング像撮影装置。
【請求項３】
前記プラチドリング像撮影用光源を構成する前記リング状光源は、それぞれ、それに対応する大きさの円周上に間隔をあけて配置された複数のＬＥＤからなる光照射部を有していることを特徴とする請求項１または請求項２に記載のプラチドリング像撮影装置。
【発明の詳細な説明】
【技術分野】
【０００１】
本発明は、被検眼の角膜表面上に同心円状の光を照射し、被検眼の角膜形状を同心円パターンによって記録したプラチドリング像を撮影するプラチドリング像撮影装置に関するものである。
【背景技術】
【０００２】
従来、眼科の分野では、プラチドリング像撮影装置を用いて被検眼のプラチドリング像が撮影され、得られたプラチドリング像に基づいて、被検眼の角膜形状の測定がなされている。
【０００３】
プラチドリング像撮影装置は、被検眼の角膜に対して同心円状の光を照射するプラチドリング像撮影用光源と、プラチドリング像撮影用光源から光が照射されたときに、当該被検眼の角膜上における当該光の投影像を撮影するカメラとを備えている。
プラチドリング像撮影用光源は、前面開口を有するハウジングと、ハウジングの前面開口に嵌め込まれ、同心円状の透光パターンを備えたパネルと、ハウジング内部であってパネルの後方に配置されたランプとを備えている。そして、ランプの点灯によって、パネルの透光パターンを通じて、ハウジングの外部に同心円状の光が照射されるようになっている。
パネルにおける同心円状透光パターンの中心部には、プラチドリング像撮影用開口が形成され、ハウジングの内部に、プラチドリング像撮影用開口に対向してカメラが配置されている。
【０００４】
そして、ハウジングの前面パネルが被検眼に対向して配置されるように、プラチドリング像撮影装置がセットされ、プラチドリング撮影用光源から被検眼の角膜に対して同心円状の光が照射され、角膜上における当該光の投影像、すなわち、被検眼の角膜形状を同心円パターンによって記録したプラチドリング像がカメラによって撮影される。
【０００５】
しかしながら、被検眼が円錐角膜等の不整な角膜を有している場合には、撮影されたプラチドリング像は同心円状パターンから著しく乱れた形状となり、プラチドリング像の各リングが、プラチドリング像撮影用光源の中心から何番目のリング状光によるものであるかを判別することが困難となって、その特定作業に間違いの生じることがあった。その結果、角膜形状の誤った測定結果が得られてしまうという問題を引き起こしていた。
【特許文献１】特開平１１−１３７５２０号公報
【特許文献２】特開平８−６６３６９号公報
【発明の開示】
【発明が解決しようとする課題】
【０００６】
したがって、本発明の課題は、円錐角膜等の不整な角膜を有する被検眼であって、同心円形状から著しく乱れた形状のプラチドリング像が得られるような場合においても、当該プラチドリング像に基づいて角膜形状の測定を正確に行えるようにすることにある。
【課題を解決するための手段】
【０００７】
上記課題を解決するため、本発明は、同心円状に配列された複数のリング状光源からなり、被検眼に対向して配置されたプラチドリング像撮影用光源と、前記プラチドリング像撮影用光源の同心円パターンの中心部において前記被検眼に対向して配置され、前記プラチドリング像撮影用光源から前記被検眼の角膜に光が照射されたときに、前記被検眼の角膜上における当該光の投影像を撮影するビデオカメラと、前記ビデオカメラから出力された映像信号を変換してデジタル画像データを出力するＡ／Ｄ変換部と、前記Ａ／Ｄ変換部から出力されたデジタル画像データを格納するメモリ部と、前記プラチドリング像撮影用光源および前記ビデオカメラの動作を、前記Ａ／Ｄ変換部の動作タイミングに同期させて制御し、前記プラチドリング像撮影用光源のリング状光源を１本または複数本ずつ点灯させ、その都度、前記被検眼の角膜上における当該リング状光源からの光の投影像を前記ビデオカメラに撮影させて、前記Ａ／Ｄ変換部から出力されたそのデジタル画像データを、当該リング状光源の前記同心円パターン中の位置情報とともに前記メモリ部に格納するコントロール部と、を備えていることを特徴とするプラチドリング像撮影装置を構成したものである。
【０００８】
上記課題を解決するため、本発明は、また、同心円状に配列された複数のリング状光源からなり、被検眼に対向して配置されたプラチドリング像撮影用光源と、前記プラチドリング像撮影用光源の同心円パターンの中心部において前記被検眼に対向して配置され、前記プラチドリング像撮影用光源から前記被検眼の角膜に光が照射されたときに、前記被検眼の角膜上における当該光の投影像を撮影するデジタルカメラと、前記デジタルカメラから出力されたデジタル画像データを格納するメモリ部と、前記プラチドリング像撮影用光源および前記デジタルカメラの動作を制御し、前記プラチドリング像撮影用光源のリング状光源を１本または複数本ずつ点灯させ、その都度、前記被検眼の角膜上における当該リング状光源からの光の投影像を前記デジタルカメラに撮影させて、前記デジタルカメラから出力されたそのデジタル画像データを、当該リング状光源の前記同心円パターン中の位置情報とともに前記メモリ部に格納するコントロール部と、を備えていることを特徴とするプラチドリング像撮影装置を構成したものである。
【０００９】
上記構成において、好ましくは、前記プラチドリング像撮影用光源を構成する前記リング状光源は、それぞれ、それに対応する大きさの円周上に間隔をあけて配置された複数のＬＥＤからなる光照射部を有している。
【発明の効果】
【００１０】
本発明によれば、同心円状に配列された複数のリング状光源からなるプラチドリング像撮影用光源において、それを構成するリング状光源を１本または複数本ずつ点灯させ、その都度、被検眼の角膜上における当該リング状光源の投影像を、そのリング状光源の同心円パターン中における位置情報とともに記録するようにしたので、円錐角膜等の不整な角膜であっても、撮影されたプラチドリング像が、プラチドリング像撮影用光源の中心から何番目のリング状光源によるものであるかを正確に特定することができ、それによって、プラチドリング像から被検眼の角膜形状を正確に測定することができる。
【発明を実施するための最良の形態】
【００１１】
以下、添付図面を参照して本発明の好ましい実施例について説明する。図１は、本発明の１実施例によるプラチドリング像撮影装置の概略構成を示すブロック図である。図１を参照して、本発明のプラチドリング像撮影装置は、プラチドリング像撮影用光源１を備えている。プラチドリング像撮影用光源１は、同心円状に配列された複数のリング状光源２ａ〜２ｆからなり、被検眼３に対向して配置される。
【００１２】
図１に示されるように、プラチドリング像撮影用光源１は、前面開口を有するハウジング４を備えており、ハウジング４の前面開口には、パネル５が嵌め込まれている。図３は、プラチドリング像撮影用光源１の正面図である。図３を参照して、パネル５には、同心円パターンを構成する各円周６ａ〜６ｆに沿って、複数個（この実施例では８個）のＬＥＤ７が間隔をあけて配置されている。そして、１つの円周に属するＬＥＤ７から、対応する１つのリング状光源の光照射部が形成される。
図示されないが、各ＬＥＤ７は、ケーブルを通じて電源に接続されている。各ＬＥＤ７の点灯動作は、１本または複数本のリング状光源毎に、後述するコントロール部１１によって制御される。
【００１３】
このように、本発明によれば、各リング状光源の光照射部を、対応する円周上に間隔をあけて配置された複数のＬＥＤから形成したので、リング状光源の作製を極めて容易かつ低コストで行うことができる。
【００１４】
パネル５における同心円パターンの中心部には、プラチドリング像撮影用開口８が形成され、ハウジング４の内部に、プラチドリング像撮影用開口８に対向してビデオカメラ９が配置されている。ビデオカメラ９は、プラチドリング像撮影用光源１から被検眼３の角膜に光が照射されたときに、被検眼３の角膜上における当該光の投影像を撮影する。
【００１５】
ビデオカメラ９から出力された映像信号は、Ａ／Ｄ変換部１０によってデジタル画像データに変換される。
Ａ／Ｄ変換部１０から出力されたデジタル画像データは、メモリ部１２に格納される。
【００１６】
プラチドリング像撮影装置は、さらに、プラチドリング像撮影用光源１およびビデオカメラ９の動作を、Ａ／Ｄ変換部１０の動作タイミングに同期させて制御するコントロール部１１を備えている。コントロール部１１は、Ａ／Ｄ変換部１０の動作タイミングに同期させて、プラチドリング像撮影用光源１のリング状光源２ａ〜２ｆを１本または複数本ずつ点灯させ、その都度、被検眼３の角膜上における当該リング状光源２ａ〜２ｆからの光の投影像をビデオカメラ９に撮影させて、Ａ／Ｄ変換部１０から出力されたそのデジタル画像データを、当該リング状光源２ａ〜２ｆの同心円パターン中の位置情報（そのリング状光源が同心円パターンの中心から何番目のものであるか）とともにメモリ部１２に格納する。
この場合、リング状光源を１本または複数本ずつ点灯させる順番は、特に限定されず、例えば、同心円パターンの中心から順次外側に向かってリング状光源を１本ずつ点灯させてもよいし、またリング状光源を全くランダムな順序で１本ずつ点灯させてもよいし、あるいは、同心円パターンの中心から順次外側に向かってリング状光源を２本ずつ同時に点灯させてもよい。
【００１７】
こうして、本発明によれば、各１本のリング状光源からの光の照射によって撮影された複数のプラチドリング像、または各複数本のリング状光源からの光の照射によって撮影された複数のプラチドリング像が得られる。
そして、本発明によれば、同心円形状から著しく乱れた形状のプラチドリング像が得られるような場合においても、撮影されたプラチドリング像が、プラチドリング像撮影用光源の中心から何番目のリング状光源によるものであるかを正確に特定することができ、それによって、プラチドリング像から被検眼の角膜形状を正確に測定することができる。
【００１８】
図２は、本発明の別の実施例によるプラチドリング像撮影装置の概略構成を示すブロック図である。図２の実施例は、ビデオカメラの代わりにデジタルカメラを備えた点が、図１の実施例と相違しているだけである。したがって、図２中、図１の実施例と同じ構成要素には同一番号を付してその説明を省略する。
図２を参照して、この実施例においては、ハウジング４の内部に、プラチドリング像撮影用開口８に対向して、デジタルカメラ１３が配置され、プラチドリング像撮影用光源１から被検眼３の角膜に光が照射されたときに、被検眼３の角膜上における当該光の投影像を撮影するようになっている。
【００１９】
また、この実施例においては、コントロール部１４は、プラチドリング像撮影用光源１およびデジタルカメラ１３の動作を制御し、プラチドリング像撮影用光源１のリング状光源２ａ〜２ｆを１本または複数本ずつ点灯させ、その都度、被検眼３の角膜上における当該リング状光源２ａ〜２ｆからの光の投影像をデジタルカメラ１３に撮影させて、デジタルカメラ１３から出力されたそのデジタル画像データを、当該リング状光源２ａ〜２ｆの同心円パターン中の位置情報とともにメモリ部１２に格納するようになっている。
この実施例においても、図１の実施例の場合と同様の効果が得られることは言うまでもない。
【図面の簡単な説明】
【００２０】
【図１】本発明の１実施例によるプラチドリング像撮影装置の概略構成を示すブロック図である。
【図２】本発明の別の実施例によるプラチドリング像撮影装置の概略構成を示すブロック図である。
【図３】本発明のプラチドリング像撮影装置のプラチドリング像撮影用光源の正面図である。
【符号の説明】
【００２１】
１  プラチドリング像撮影用光源
２ａ〜２ｆ  リング状光源
３  被検眼
４  ハウジング
５  パネル
６ａ〜６ｆ  円周
７  ＬＥＤ
８  プラチドリング像撮影用開口
９  ビデオカメラ
１０  Ａ／Ｄ変換部
１１  コントローラ
１２  メモリ部
【図１】
2006158749.tif 000003
【図２】
2006158749.tif 000004
【図３】
2006158749.tif 000005